(57)【要約】【課題】本発明は、テストパターン、信号発生装置及び映像機器の評価方法に関し、特に各種映像機器の動作確認に適用して、青色色信号以外についてもＨＵＥ、クロマの調整等を評価することができるようにする。【解決手段】本発明は、表示画面を分割して、赤色色信号、緑色色信号、青色色信号のオンオフを組み合わせて生成される少なくとも白色及び有彩色の帯状の領域を順次配置して作成される第１のパターンと、この第１のパターンを帯状の領域の並びの方向にシフトさせた配列による第２のパターンとを配置する。【選択図】        図１
2009302696.tif 000002
【特許請求の範囲】
【請求項１】
映像機器の評価に供するテストパターンにおいて、
表示画面を分割して作成される第１の領域に、赤色色信号、緑色色信号、青色色信号のオンオフを組み合わせて生成される少なくとも白色及び有彩色の帯状の領域を、前記第１の領域に隣接する第２の領域との境界に沿って順次配置して作成される第１のパターンを配置し、
前記第２の領域に、前記帯状の領域の配列方向に、前記第１のパターンをシフトさせた配列により作成される第２のパターンを配置した
ことを特徴とするテストパターン。
【請求項２】
映像機器の評価に供するテストパターンのビデオ信号を出力する信号発生装置において、
前記テストパターンは、
表示画面を分割して作成される第１の領域に、赤色色信号、緑色色信号、青色色信号のオンオフを組み合わせて生成される少なくとも白色及び有彩色の帯状の領域を、前記第１の領域に隣接する第２の領域との境界に沿って順次配置して作成される第１のパターンを配置し、
前記第２の領域に、前記帯状の領域の配列方向に、前記第１のパターンをシフトさせた配列により作成される第２のパターンを配置した
ことを特徴とする信号発生装置。
【請求項３】
請求項２に記載の信号発生装置で生成した前記ビデオ信号を前記映像機器で処理して表示し、前記テストパターンの目視による観察により前記映像機器における前記ビデオ信号の処理を評価する
ことを特徴とする映像機器の評価方法。
【発明の詳細な説明】
【技術分野】
【０００１】
本発明は、テストパターン、信号発生装置及び映像機器の評価方法に関し、特に各種映像機器の動作確認に適用することができる。本発明は、表示画面を分割して、赤色色信号、緑色色信号、青色色信号のオンオフを組み合わせて生成される少なくとも白色及び有彩色の帯状の領域を順次配置して作成される第１のパターンと、帯状の領域の並びの方向にこの第１のパターンをシフトさせた配列により作成される第２のパターンとを配置することにより、青色色信号以外についてもＨＵＥ、クロマの調整等を評価することができるようにする。
【背景技術】
【０００２】
従来、ディスプレイ装置等の映像機器の動作確認等には、例えばＳＭＰＴＥ（Society
of Motion Picture and Television Engineers）のカラーバーによるテストパターンが使用されている。
【０００３】
ここでこのＳＭＰＴＥのカラーバーによるテストパターンは、図１４に示すように、表示画面の上側、ほぼ２／３の領域に第１のパターンが割り当てられる。ここで第１のパターンは、左端側より、白Ｗ、イエローＹ、シアンＣ、緑Ｇ、マゼンタＭ、赤Ｒ、青Ｂによる垂直方向に延長する帯状の領域が順次配置されて作成される。
【０００４】
またこのＳＭＰＴＥのテストパターンは、残りの領域の上側、ほぼ１／４の領域に、第２のパターンが割り当てられる。ここで第２のパターンは、左端側より、青Ｂ、黒ＢＫ、マゼンタＭ、黒ＢＫ、シアンＣ、黒ＢＫ、白Ｗによる垂直方向に延長する帯状の領域が順次配置されて作成される。
【０００５】
またこのＳＭＰＴＥのテストパターンは、残りの領域に、第３のパターンが割り当てられる。ここで第３のパターンは、同様に垂直方向に延長する帯状の領域が順次配置されて作成され、最も左端には、色差信号の１つであるＩ信号のみによる領域Ｉが設けられる。また続いて白Ｗの領域が配置され、続いて残る色差信号の１つであるＱ信号のみによる領域Ｑが設けられる。また続いて第１〜第４の黒ＢＫ１〜ＢＫ４の領域が順次設けられる。
【０００６】
ここでこのＳＭＰＴＥのテストパターンを用いてディスプレイ装置を調整する場合、このＳＭＰＴＥのテストパターンによるビデオ信号をディスプレイ装置に入力し、青色色信号のみ表示する。この状態で、カラーバーに設けられた第１のパターンと第２のパターンとの輝度レベル差を目視により確認してＨＵＥ、クロマを調整する。
【０００７】
このようなテストパターンに関して、特開２００６−２２２７１４号公報には、テストパターンを生成するテストパターン発生装置に関する工夫が提案されている。
【特許文献１】特開２００６−２２２７１４号公報
【発明の開示】
【発明が解決しようとする課題】
【０００８】
ところで従来のＳＭＰＴＥのカラーバーによるテストパターンは、青色色信号のみを用いて評価することを念頭に、第２のパターンに、黒の領域と、青色成分を有している領域とが設けられ、これにより第１のパターンと第２のパターンとで隣接する領域間の輝度レベル差を目視により確認してディスプレイ装置のＨＵＥ、クロマの調整等を評価することができる。
【０００９】
このような評価を緑色色信号、赤色色信号についても実行することができれば、一段とテストパターンの適用範囲を拡大することができると考えられる。
【００１０】
本発明は以上の点を考慮してなされたもので、青色色信号以外についてもＨＵＥ、クロマの調整等を評価することができるテストパターン、信号発生装置及び映像機器の評価方法を提案しようとするものである。
【課題を解決するための手段】
【００１１】
上記の課題を解決するため請求項１の発明は、映像機器の評価に供するテストパターンに適用して、表示画面を分割して作成される第１の領域に、赤色色信号、緑色色信号、青色色信号のオンオフを組み合わせて生成される少なくとも白色及び有彩色の帯状の領域を、前記第１の領域に隣接する第２の領域との境界に沿って順次配置して作成される第１のパターンを配置し、前記第２の領域に、前記帯状の領域の配列方向に、前記第１のパターンをシフトさせた配列により作成される第２のパターンを配置する。
【００１２】
また請求項２の発明は、映像機器の評価に供するテストパターンのビデオ信号を出力する信号発生装置に適用して、前記テストパターンは、表示画面を分割して作成される第１の領域に、赤色色信号、緑色色信号、青色色信号のオンオフを組み合わせて生成される少なくとも白色及び有彩色の帯状の領域を、前記第１の領域に隣接する第２の領域との境界に沿って順次配置して作成される第１のパターンを配置し、前記第２の領域に、前記帯状の領域の配列方向に、前記第１のパターンをシフトさせた配列により作成される第２のパターンを配置する。
【００１３】
また請求項３の発明は、映像機器の評価方法に適用して、請求項２に記載の信号発生装置で生成した前記ビデオ信号を前記映像機器で処理して表示し、前記テストパターンの目視による観察により前記映像機器における前記ビデオ信号の処理を評価する。
【００１４】
請求項１又は請求項２の構成によれば、第１及び第２のパターンの双方に、赤色成分、緑色成分、青色成分を有する領域が形成される。従って赤色色信号、緑色色信号又は青色色信号のみを入力又は表示するようにして、これら第１及び第２のパターン間で、対応する領域間の輝度レベル差を目視により確認することにより、赤色色信号、緑色色信号、青色色信号について、それぞれＨＵＥ、クロマの調整等を評価することができる。
【００１５】
また請求項３の構成によれば、請求項２の信号発生装置によるビデオ信号を用いて映像機器を評価することができる。
【発明の効果】
【００１６】
本発明によれば、青色色信号以外についてもＨＵＥ、クロマの調整等を評価することができる。
【発明を実施するための最良の形態】
【００１７】
以下、適宜図面を参照しながら本発明の実施例を詳述する。
【実施例１】
【００１８】
（１）実施例の構成
図２は、本発明の実施例１の信号発生装置を示すブロック図である。この信号発生装置１は、各種映像機器にテストパターンのビデオ信号Ｓ１を出力する。この実施例において、信号発生装置１は、このテストパターンの１つに、カラーバーのテストパターンが適用される。
【００１９】
この信号発生装置１において、パターンメモリ２は、この信号発生装置１で生成するテストパターンの画像データＤ１を保持して出力する。コントローラ３は、ユーザーの操作に応動してこのパターンメモリ２の読出しアドレスを切り換え、これによりこの信号発生装置１で生成するテストパターンを切り換える。またユーザーの指示によりこの読出しアドレスを順次変更してユーザーの指示したスクロール速度により一部がスクロールするスクロール画像の画像データＤ１を出力する。またユーザーの指示によりスクロールを中止する。信号出力回路４は、パターンメモリ２から出力される画像データＤ１を処理して、ユーザーの選択したフォーマットによりビデオ信号Ｓ１を出力する。
【００２０】
図１は、この信号発生装置１で生成されるカラーバーのテストパターンを示す平面図である。このテストパターンは、水平方向に延長する仮想の分割線により表示画面が上下の領域にほぼ２等分に分割され、この上下の領域にそれぞれカラーバーが配置される。ここでこの上下の領域に配置されるカラーバーは、赤色色信号、緑色色信号、青色色信号のオンオフを組み合わせて生成される８色の帯状の領域の配列により形成される。各領域のカラーバーは、水平方向に一定の順序でこれら８色の帯状の領域が順次循環的に繰り返され、下側領域に配置されるカラーバーは、上側領域のカラーバーに対して水平方向に一定の帯状の領域分だけシフトした配列により配置される。
【００２１】
より具体的に、この図１に示す例では、上側領域に、赤色色信号、緑色色信号、青色色信号の全てをオン状態に設定して生成される白Ｗ、赤色色信号及び緑色色信号のみオン状態に設定して生成されるイエローＹ、緑色色信号及び青色色信号のみをオン状態に設定して生成されるシアンＣ、緑色色信号のみをオン状態に設定して生成される緑Ｇ、赤色色信号及び青色色信号のみオン状態に設定して生成されるマゼンタＭ、赤色色信号のみオン状態に設定して生成される赤Ｒ、青色色信号のみオン状態に設定して生成される青Ｂ、赤色色信号、緑色色信号、青色色信号の全てをオフ状態に設定して生成される黒ＢＫの領域が順次左端側から配置される。
【００２２】
また下側領域には、上側領域のマゼンタＭの領域の下が、白Ｗの領域となるように、上側領域の配列を水平走査方向に４つの帯状の領域分だけ順次循環的にシフトして各領域が配置される。
【００２３】
これら各領域は、黒色ＢＫの領域を除いて、輝度レベルが同一に設定される。より具体的に、各領域は、輝度レベルが７５〔％〕に設定される。なお輝度レベルは、１００〔％〕等、必要に応じて種々の値に設定することができる。
【００２４】
このテストパターンは、ユーザーの指示により、矢印Ａにより示すように、水平方向にユーザーの指示したスクロール速度で上側領域又は下側領域が選択的にスクロールするように作成される。またユーザーの指示によりスクロールを中止する。なおテストパターンは、８色の帯状の領域が順次循環的に繰り返されて作成されることから、スクロールによりこの図１の左端の白Ｗ及びマゼンタＭの領域が右方向に移動して発生する左端側の空き領域には、このスクロールにより徐々に表示されなくなる右端の黒ＢＫ及び緑Ｇの帯状の領域がそれぞれ表示されることになり、以後、スクロールに伴い同様に各帯状の領域が表示されることになる。なおスクロールを中止する場合、このテストパターンは、上側領域に対して、下側領域がスクロールを中止した時点で決まる任意のシフト量だけシフトした位置に保持されることになる。
【００２５】
これにより図３に示すように、信号発生装置１は、上側領域に設けられるカラーバーのビデオ信号を出力する第１の合成信号発生器５Ａと、下側領域に設けられるカラーバーのビデオ信号を出力する第２の合成信号発生器５Ｂと、これら第１及び第２の合成信号発生器５Ａ及び５Ｂから出力されるビデオ信号を合成する合成回路６との機能ブロックを構成する。
【００２６】
図４は、このテストパターンを用いた映像機器１１の評価の説明に供するブロック図である。信号発生装置１は、評価対象の映像機器１１にビデオ信号Ｓ１を出力し、この映像機器１１から出力されるビデオ信号Ｓ２を表示装置１２で表示する。ここで評価対象の映像機器１１は、評価する部位に応じて、ビデオ信号Ｓ１を記録再生、変復調、信号処理等して出力する。なお表示装置１２は、正しく調整されていることが前提となる。また評価対象の映像機器が表示装置１２である場合、映像機器１１を省略して、直接、信号発生装置１から出力されるビデオ信号Ｓ１を表示装置１２に入力することは言うまでも無い。
【００２７】
この評価では、評価対象の映像機器１１にＶＢＳ信号又はコンポーネント信号によるビデオ信号Ｓ１を入力すると共に、表示装置１２の表示を赤色、緑色又は青色による単色の表示に切り換え、表示装置１２の表示画面を目視により確認して、映像機器１１を評価する。
【００２８】
ここで図５は、赤色色信号のみを選択的に表示した場合の、表示装置１２の表示画面を示す平面図である。この場合、評価対象の映像機器１１が正しく動作している場合には、このテストパターンにおいて、赤色成分を有している白Ｗ、イエローＹ、マゼンタＭ、赤Ｒの領域のみ赤色で表示され、残りの領域はハッチングにより示すように黒色により表示されることになる。また上下で隣接する領域間では、輝度レベルが同一に保持されることになる。
【００２９】
これによりこの評価では、赤色色信号のみ選択的に表示して、上下の領域間の輝度レベル差を目視により確認することにより、特に白Ｗを基準にして隣接する領域との間で輝度レベル差を目視により確認することにより、この評価対象の映像機器１１における赤色色信号の処理系に関して、ＨＵＥ、クロマの調整等を確認する。
【００３０】
また図６は、緑色色信号のみを選択的に表示した場合の、表示装置１２の表示画面を示す平面図である。この場合、評価対象の映像機器１１が正しく動作している場合には、このテストパターンにおいて、緑色成分を有している白Ｗ、イエローＹ、シアンＣ、緑Ｇの領域のみ緑色で同一の輝度レベルで表示されることになり、残りの領域はハッチングにより示すように黒色により表示されることになる。
【００３１】
これによりこの評価では、緑色色信号のみ選択的に表示して、上下の領域間の輝度レベル差を目視により確認することにより、特に白Ｗを基準にして他の領域との輝度レベル差を目視により確認することにより、この評価対象の映像機器１１における緑色色信号の処理系に関して、ＨＵＥ、クロマの調整等を確認する。
【００３２】
また図７は、青色色信号のみを選択的に表示した場合の、表示装置１２の表示画面を示す平面図である。この場合、評価対象の映像機器１１が正しく動作している場合には、このテストパターンにおいて、青色成分を有している白Ｗ、シアンＣ、マゼンタＭ、青Ｂの領域のみ青色で同一の輝度レベルで表示されることになり、残りの領域はハッチングにより示すように黒色により表示されることになる。
【００３３】
これによりこの評価では、青色色信号のみ選択的に表示するようにして、上下の領域間の輝度レベル差を目視により確認することにより、特に白Ｗを基準にして隣接する領域との間で輝度レベル差を目視により確認することにより、この評価対象の映像機器１１における青色色信号の処理系に関して、ＨＵＥ、クロマの調整等を確認する。
【００３４】
（２）実施例の動作
以上の構成において、この信号発生装置１では（図２）、パターンメモリ２に格納された画像データＤ１が順次読み出されて信号出力回路４により所定フォーマットのビデオ信号Ｓ１に変換され、これにより各種テストパターンのビデオ信号Ｓ１が出力される。この信号発生装置１では、このテストパターンの１つに、カラーバーのテストパターンが割り当てられ、これによりこのカラーバーのテストパターンを用いて各種の映像機器を評価することができる。
【００３５】
ここでこのカラーバーのテストパターンは（図１）、表示画面を上下方向に分割して第１及び第２の領域が形成され、各領域に、それぞれ赤色色信号、緑色色信号、青色色信号のオンオフを組み合わせて生成される８色の帯状の領域を水平方向に配置した第１及び第２のパターンを配置して形成される。また下側の領域では、上側の領域に対して帯状の領域の配列方向に、上側の領域に配置したパターンをシフトさせた配列により第２のパターンが設けられる。
【００３６】
これによりこのカラーバーのテストパターンは、第１及び第２のパターンの双方に、赤色成分、緑色成分、青色成分を有する領域が形成される。これにより赤色色信号、緑色色信号又は青色色信号のみを入力又は表示するようにして、これら第１及び第２のパターン間で、対応する領域間の輝度レベル差を目視により確認することにより、赤色色信号、緑色色信号、青色色信号について、それぞれＨＵＥ、クロマの調整等を評価することができる。
【００３７】
具体的に、例えば赤色色信号、緑色色信号又は青色色信号のみを表示するようにして、上下の対応するパターン間で輝度レベル差が発生している場合には、ＨＵＥ、クロマの調整等が十分ではないと判断することができ、さらには各色信号の処理系において色信号が歪んでいると判断することができる。
【００３８】
（３）実施例の効果
以上の構成によれば、表示画面を分割して、赤色色信号、緑色色信号、青色色信号のオンオフを組み合わせて生成される８色の帯状の領域を順次配置して作成される第１のパターンと、この第１のパターンを帯状の領域の並びの方向に所定領域分だけシフトさせた配列による第２のパターンとを配置することにより、ＳＭＰＴＥのカラーパターンでは困難だった赤色色信号及び緑色色信号についてもＨＵＥ、クロマの調整等を評価することができる。
【実施例２】
【００３９】
なお上述の実施例においては、赤色色信号、緑色色信号、青色色信号のオンオフを組み合わせて生成される８色の帯状の領域を順次配置する場合について述べたが、本発明はこれに限らず、赤色色信号、緑色色信号、青色色信号のオンオフを組み合わせて生成される少なくとも白色と有彩色とによる帯状の領域を設けるよにすればよく、例えば図８に示すように、白色及び有彩色のみによる７色の帯状の領域を順次配置するようにしてもよい。なおこの図８の例では、赤色色信号、緑色色信号、青色色信号のみ表示する場合には、それぞれ図９〜図１１に示すように、赤色成分、緑色成分、青色成分を有する領域のみ、それぞれ赤色、緑色、青色により表示されることになり、各領域の輝度レベルの比較により上述の実施例と同様の効果を得ることができる。
【００４０】
なおこの場合、この図８に示す例のように、上側領域の白色の領域の下にマゼンダの領域が隣接するように、又は、これとは逆に下側領域の白色の領域の上にマゼンダの領域が隣接するように上側領域に対する下側領域のシフト量を４つの帯状の領域分又は５つの帯状の領域分に設定して、第１の実施例と同様に上下の領域間で輝度レベル差を目視により確認して、各種の評価を実行することができる。またこの図８に示す例においても上側領域又は下側領域のみスクロールさせてもよい。
【００４１】
また上述の実施例においては、表示画面を上下に２分割する場合について述べたが、本発明はこれに限らず、例えば図１２に示すように、３分割等してもよく、分割数は必要に応じて種々に設定することができる。なお目視による評価を容易にするためには、分割して作成される１つの領域の幅は、対応する方向の画面の幅の１０〔％〕以上とすることが望ましい。なおこの図１２の例では、最も下側の領域に、最も上側の領域に配置したと同一のパターンを配置する場合を示しているが、これに代えて中央の領域に対してさらに所定の帯状の領域分だけシフトしたカラーバーを表示してもよく、これらの領域とは全く無関係のパターンを配置してもよい。
【００４２】
また上述の実施例においては、水平方向に延長する直線により表示画面を上下に２分割する場合について述べたが、本発明はこれに限らず、例えば図１３に示すように、斜め線、曲線等により分割してもよい。
【００４３】
また上述の実施例においては、表示画面を上下に２分割する場合について述べたが、本発明はこれに限らず、任意の角度だけ傾けて配置するようにして、表示画面とが水平方向又は斜め方向に分割してもよい。
【００４４】
また上述の実施例においては、第１のパターンに対して、整数の帯状の領域の分だけ、シフトさせた配列により第２のパターンを作成する場合について述べたが、本発明はこれに限らず、例えばシフト量をｎ／２（ｎは奇数）の帯状の領域分に設定するようにしてもよい。
【００４５】
また上述の実施例においては、表示画面の全体にテストパターンを表示する場合について述べたが、本発明はこれに限らず、表示画面の一部にのみ表示するようにしてもよい。
【００４６】
また上述の実施例においては、カラーバーのテストパターンをユーザーの指示によりスクロール表示する場合について述べたが、本発明はこれに限らず、必要に応じてスクロール表示する機能を省略してもよい。
【産業上の利用可能性】
【００４７】
本発明は、各種映像機器の動作確認に適用することができる。
【図面の簡単な説明】
【００４８】
【図１】本発明の実施例１の信号発生装置によるテストパターンを示す平面図である。
【図２】本発明の実施例１の信号発生装置を示すブロック図である。
【図３】図２の信号発生装置の機能ブロック図である。
【図４】図２の信号発生装置を用いた映像機器の評価の説明に供するブロック図である。
【図５】赤色色信号のみ選択的に表示した場合の表示を示す平面図である。
【図６】緑色色信号のみ選択的に表示した場合の表示を示す平面図である。
【図７】青色色信号のみ選択的に表示した場合の表示を示す平面図である。
【図８】本発明の他の実施例の信号発生装置によるテストパターンを示す平面図である。
【図９】赤色色信号のみ選択的に表示した場合の表示を示す平面図である。
【図１０】緑色色信号のみ選択的に表示した場合の表示を示す平面図である。
【図１１】青色色信号のみ選択的に表示した場合の表示を示す平面図である。
【図１２】図１とは異なる例による他の実施例のテストパターンを示す平面図である。
【図１３】図１及び図１２とは異なる例による他の実施例のテストパターンを示す平面図である。
【図１４】ＳＭＰＴＥのカラーバーのテストパターンを示す平面図である。
【符号の説明】
【００４９】
１……信号発生装置、２……パターンメモリ、４……信号出力回路
【図１】
2009302696.tif 000003
【図２】
2009302696.tif 000004
【図３】
2009302696.tif 000005
【図４】
2009302696.tif 000006
【図５】
2009302696.tif 000007
【図６】
2009302696.tif 000008
【図７】
2009302696.tif 000009
【図８】
2009302696.tif 000010
【図９】
2009302696.tif 000011
【図１０】
2009302696.tif 000012
【図１１】
2009302696.tif 000013
【図１２】
2009302696.tif 000014
【図１３】
2009302696.tif 000015
【図１４】
2009302696.tif 000016